【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
交換レンズに装着可能なカメラボディであって、
前記交換レンズから焦点光学系の光軸上の位置により変化する第１像面移動係数と、前記第１像面移動係数の値以下の第２像面移動係数とを受信する受信部と、
前記焦点光学系が所定範囲内にあると判断した場合、前記第２像面移動係数が変化したとき異常であると判断し、前記焦点光学系が前記所定範囲内にないと判断した場合、前記第２像面移動係数が変化したとき異常であると判断しない判断部と、を備えることを特徴とするカメラボディ。
【請求項２】
請求項１に記載されたカメラボディであって、
前記受信部は、前記第１像面移動係数の値以上の第３像面移動係数を受信し、
前記判断部は、前記焦点光学系が前記所定範囲内にある場合、前記第３像面移動係数が変化したとき異常であると判断し、前記焦点光学系が前記所定範囲内にない場合、前記第３像面移動係数が変化したとき異常であると判断しないことを特徴とするカメラボディ。
【請求項３】
請求項１又は請求項２に記載されたカメラボディであって、
前記受信部は、前記交換レンズから所定情報を受信し、
前記判断部は、前記受信部が受信した前記所定情報を用いて前記焦点光学系が前記所定範囲内にあるか否かを判断することを特徴とするカメラボディ。
【請求項４】
交換レンズに装着可能なカメラボディであって、
前記交換レンズから焦点光学系の光軸上の位置により変化する第１像面移動係数と、前記第１像面移動係数の値以下の第２像面移動係数と、前記第１像面移動係数の値以上の第３像面移動係数と、前記焦点光学系の位置に関する情報と、前記焦点光学系の駆動範囲に関する情報とを受信する受信部と、
前記焦点光学系の位置に関する情報と前記焦点光学系の駆動範囲に関する情報とを用いて前記焦点光学系が駆動範囲内であると判断したとき、前記第２像面移動係数及び前記第３像面移動係数の少なくとも一方が変動したとき異常であると判断する判断部とを有することを特徴とするカメラボディ。
【請求項５】
請求項４に記載されたカメラボディであって、
前記判断部は、前記焦点光学系の位置に関する情報と前記焦点光学系の駆動範囲に関する情報とを用いて前記焦点光学系が駆動範囲内であると判断しないとき、前記第２像面移動係数及び前記第３像面移動係数の少なくとも一方が変動しても異常であると判断しないことを特徴とするカメラボディ。
【請求項６】
請求項４又は請求項５に記載されたカメラボディであって、
前記受信部は、変倍光学系の位置に関する情報を受信し、
前記判断部は、前記変倍光学系の位置に関する情報を用いて前記変倍光学系が移動していると判断したとき、前記第２像面移動係数及び前記第３像面移動係数の少なくとも一方が変動しても異常であると判断しないことを特徴とするカメラボディ。
【請求項７】
請求項４乃至請求項６の何れか１項に記載されたカメラボディであって、
前記判断部により前記焦点光学系が前記駆動範囲内であると判断されないとき、前記焦点光学系を前記駆動範囲の内側に駆動する第１駆動制御信号を生成する制御部と、
前記駆動制御信号を前記交換レンズに送信する送信部と、を有することを特徴とするカメラボディ。
【請求項８】
請求項７に記載されたカメラボディであって、 
コントラストの評価値を用いて前記焦点光学系の合焦位置を演算する演算部を有し、
前記制御部は、前記判断部により前記焦点光学系が前記駆動範囲内であると判断されたとき前記焦点光学系を前記合焦位置に駆動する第２駆動制御信号を生成し、前記判断部により前記駆動範囲内であると判断されないとき前記第２駆動制御信号を生成しないことを特徴とするカメラボディ。
【請求項９】
カメラボディに装着可能な交換レンズであって、
焦点光学系の光軸上の位置により変化する第１像面移動係数と、前記第１像面移動係数の値以下の第２像面移動係数と、前記第１像面移動係数の値以上の第３像面移動係数と、前記焦点光学系の位置に関する情報と、前記焦点光学系の駆動範囲に関する情報とを前記カメラボディに送信する送信部と、
前記焦点光学系の位置に関する情報と前記焦点光学系の駆動範囲に関する情報とを用いて前記焦点光学系が駆動範囲内であると判断されないとき、前記焦点光学系を前記駆動範囲の内側に駆動する第１駆動制御信号を前記カメラボディから受信する受信部と、を有する交換レンズ。
【請求項１０】
請求項９に記載された交換レンズであって、 
前記受信部は、前記焦点光学系が前記駆動範囲内であると判断されたとき、コントラストの評価値を用いて演算された前記焦点光学系の合焦位置に前記焦点光学系を駆動する第２駆動制御信号を前記カメラボディから受信する交換レンズ。
【請求項１１】
焦点光学系の駆動範囲を設定可能な交換レンズから、前記駆動範囲の情報と、前記焦点光学系の位置情報と、変倍光学系の焦点距離と、前記変倍光学系の焦点距離に応じて変化する特定像面移動係数と、を受信する通信部と、
前記変倍光学系の焦点距離が変化していない場合において、前記交換レンズから受信した前記特定像面移動係数が変化した場合に、所定動作を実行する制御部と、を備え、
前記制御部は、前記焦点光学系の現在レンズ位置が前記駆動範囲の外側である場合において、前記特定像面移動係数が変化した場合には、前記変倍光学系の焦点距離が変化していない場合においても、前記所定動作を実行しないことを特徴とするカメラボディ。
【請求項１２】
焦点光学系の駆動範囲を設定可能な交換レンズから、前記駆動範囲の情報と、前記焦点光学系の位置情報と、変倍光学系の焦点距離と、前記変倍光学系の焦点距離に応じて変化する特定像面移動係数と、を受信する通信部と、
前記焦点光学系の駆動を制御する制御部と、を備え、
前記制御部は、前記焦点光学系の現在レンズ位置が前記駆動範囲の外側である場合には、前記焦点光学系を前記駆動範囲内まで駆動させるための第１駆動動作を実行し、前記焦点光学系の現在レンズ位置が前記駆動範囲の内側である場合には、前記第１駆動動作とは異なる第２駆動動作を実行することを特徴とするカメラボディ。
【請求項１３】
請求項１２に記載のカメラボディであって、
前記制御部は、
前記第２駆動動作を実行している際に、前記特定像面移動係数が変化した場合には、前記変倍光学系の焦点距離が変化していない場合において、所定動作を実行し、
前記第１駆動動作を実行している際に、前記特定像面移動係数が変化した場合には、前記変倍光学系の焦点距離が変化していない場合においても、前記所定動作を実行しないことを特徴とするカメラボディ。
【請求項１４】
焦点光学系の駆動範囲を設定可能な交換レンズから、前記駆動範囲の情報と、前記焦点光学系の位置情報と、変倍光学系の焦点距離と、前記変倍光学系の焦点距離に応じて変化する特定像面移動係数と、を受信する通信部と、
前記変倍光学系の焦点距離が変化していない場合において、前記交換レンズから受信した前記特定像面移動係数が変化した場合に、所定動作を実行する制御部と、を備え、
前記制御部は、前記変倍光学系の焦点距離が変化していない場合に、前記特定像面移動係数が変化した場合においても、前記駆動範囲が変更された場合には、前記所定動作を実行しないことを特徴とするカメラボディ。
【請求項１５】
請求項１４に記載のカメラボディであって、
前記制御部は、前記駆動範囲が変更された場合には、当該駆動範囲が変更された時点から所定時間が経過するまでは、前記所定動作を実行しないことを特徴とするカメラボディ。
【請求項１６】
請求項１１〜１５のいずれかに記載のカメラボディであって、
前記制御部は、前記焦点光学系を前記駆動範囲の全域において駆動させながら、前記焦点光学系の各レンズ位置において像面移動係数を検出した結果、前記特定像面移動係数と等しい像面移動係数を検出できなかった場合に、所定動作を実行することを特徴とするカメラボディ。
【請求項１７】
請求項１〜８，１１〜１６のいずれかに記載のカメラボディを有することを特徴とする撮像装置。
【手続補正２】
【補正対象書類名】明細書
【補正対象項目名】発明の名称
【補正方法】変更
【補正の内容】
【発明の名称】カメラボディ、交換レンズ及び撮像装置